(57)【要約】【課題】ＲＦアナログ信号に直流成分が含まれていても正しく二値化する。【解決手段】光ディスクから読み取ったＲＦアナログ信号をコンパレータ１６でスライスレベルと比較することで二値化する。第１スライサ１０はＲＦアナログ信号のピークレベルとボトムレベルの平均値をスライスレベルとして出力し、第２スライサ１２は信号列の連続したパターンの部分におけるピークレベルとボトムレベルの平均値をスライスレベルとして出力する。切替スイッチ１４でスライスレベルを切り替えて出力する。【選択図】図１
2012199876.tif 000002
【特許請求の範囲】
【請求項１】
ＲＦアナログ信号を二値化する二値化回路であって、
ＲＦアナログ信号の信号列の連続したパターンを検出する手段と、
前記連続したパターンにおける前記ＲＦアナログ信号のピークレベルとボトムレベルの平均値を検出し、二値化用のスライスレベルとして出力する手段と、
を有し、前記スライスレベルを用いて前記ＲＦアナログ信号を二値化することを特徴とする二値化回路。
【請求項２】
請求項１記載の二値化回路において、さらに、
前記ＲＦアナログ信号のピークレベルとボトムレベルの平均値を検出し、二値化用の他のスライスレベルとして出力する手段と、
前記スライスレベルと前記他のスライスレベルを選択的に切り替えて出力する切替手段と、
を有し、前記スライスレベルあるいは前記他のスライスレベルのいずれかを用いて前記ＲＦアナログ信号を二値化することを特徴とする二値化回路。
【請求項３】
請求項２記載の二値化回路において、
前記切替手段は、前記ＲＦアナログ信号のＤＳＶ値に基づいて切り替えるものであり、前記ＤＳＶ値が所定の範囲内である場合に前記他のスライスレベルを出力し、前記ＤＳＶ値が所定の範囲外である場合に前記スライスレベルを出力する
ことを特徴とする二値化回路。
【請求項４】
請求項２記載の二値化回路において、
前記切替手段は、前記ＲＦアナログ信号の最初の二値化の場合に前記他のスライスレベルを出力し、前記ＲＦアナログ信号の再度の二値化の場合に前記スライスレベルを出力する
ことを特徴とする二値化回路。
【発明の詳細な説明】
【技術分野】
【０００１】
本発明は二値化回路に関し、特にＲＦアナログ信号を二値化するためのしきいレベルの設定技術に関する。
【背景技術】
【０００２】
光ディスク装置等においては、光ディスクから読み取ったＲＦアナログ信号を二値化して復調する際に、スライスレベルを設けてＲＦアナログ信号をコンパレータで二値化する、あるいはＲＦアナログ信号をＡＤ変換し、このＡＤ値により二値化する方法が採用されている。
【０００３】
ＲＦアナログ信号には、信号源の種々の特性、例えば光ディスクの場合には光ディスク上の信号品質ムラやレーザ光量の変動、光ディスク反射率の変動などにより直流成分を有するため、ＲＦアナログ信号にＨＰＦをかける、あるいはＲＦアナログ信号のピーク値とボトム値を検出することでスライスレベルのセンター値を求めることで直流成分（ＤＣ成分）を除去している。
【０００４】
特許文献１には、常にデューティ比が５０％の安定した二値化出力を得るために、入力信号に正弦波成分が含まれているときは、ピークホールド回路の出力電圧とボトムホールド回路の出力電圧の平均値を、参照電圧として入力信号に含まれる直流成分の変動に追従して変動させ、入力信号に含まれる直流成分の周波数が低下して停止状態にあるときは、参照電圧を固定することが開示されている。
【０００５】
また、特許文献２には、入力信号のＤＣレベルが変化しても、ＤＣレベルを実質的に一定に保持するために、入力信号の可変ゲイン増幅出力をピークホールド及びボトムホールドし、ピーク値とボトム値を可変ゲイン増幅器に帰還することが開示されている。
【先行技術文献】
【特許文献】
【０００６】
【特許文献１】特開平１０−１３５８００号公報
【特許文献２】特開２０００−１３４０４９号公報
【発明の概要】
【発明が解決しようとする課題】
【０００７】
ところで、ＲＦアナログ信号には、特定の信号パターンにより極端な直流成分あるいはＤＣ偏りが生じることがあり、このような直流成分は従来の方法では除去できず、結果として正確に二値化できない問題があった。
【０００８】
例えば、ＤＶＤにデータを記録する場合、光ディスク装置は、ホストコンピュータから受け取った記録データにＩＤ等付加、エラー検出コード付加、スクランブル、エラー訂正コード付加、インターリーブ、Ｓｙｎｃコード付加等を経て、８／１６変調した後に光ディスクに記録するので、ホストコンピュータから受け取った記録データが連続パターンであったとしても、実際に記録されるパターンはほぼランダムパターンになるため記録データを再生する場合にもランダムパターンとして再生されるが、稀に規則性のあるパターンになってしまう場合がある。実際に記録されるデータ列の奇数番目と偶数番目は互いに極性が逆であるため、奇数番目あるいは偶数番目のいずれかのデータ長が極端に長くなるような特定のパターンが出現すると、直流成分が大きくなってしまう。そして、直流成分が極端に大きくなってしまうと、スライスレベルもこれに追従するように変動してしまうため、正しく二値化できない問題が生じる。例えば、スライスレベルがプラス方向に変動してオフセットすると、振幅の小さい３Ｔ信号や４Ｔ信号等を検出できない。
【０００９】
言い換えるならば、２つの状態をとるビット列の一方の状態（例えば１）を＋１、他方の状態（例えば０）を−１としてビット列の先頭から累積した値であるＤＳＶ（Digital Sum Value）値は直流成分の大きさを表す指標として用いられるが、ＤＳＶ値の絶対値が極端に大きい場合には従来のスライスレベルでは正確に二値化できない問題が生じる。
【００１０】
本発明の目的は、相対的に大きな直流成分が出現するような場合であっても、ＲＦアナログ信号を正確に二値化できる回路を提供することにある。
【課題を解決するための手段】
【００１１】
本発明は、ＲＦアナログ信号を二値化する二値化回路であって、ＲＦアナログ信号の信号列の連続したパターンを検出する手段と、前記連続したパターンにおける前記ＲＦアナログ信号のピークレベルとボトムレベルの平均値を検出し、二値化用のスライスレベルとして出力する手段とを有し、前記スライスレベルを用いて前記ＲＦアナログ信号を二値化することを特徴とする。
【００１２】
本発明の１つの実施形態では、さらに、前記ＲＦアナログ信号のピークレベルとボトムレベルの平均値を検出し、二値化用の他のスライスレベルとして出力する手段と、前記スライスレベルと前記他のスライスレベルを選択的に切り替えて出力する切替手段とを有し、前記スライスレベルあるいは前記他のスライスレベルのいずれかを用いて前記ＲＦアナログ信号を二値化する。
【００１３】
また、本発明の他の実施形態では、前記切替手段は、前記ＲＦアナログ信号のＤＳＶ値に基づいて切り替えるものであり、前記ＤＳＶ値が所定の範囲内である場合に前記他のスライスレベルを出力し、前記ＤＳＶ値が所定の範囲外である場合に前記スライスレベルを出力する。
【００１４】
また、本発明の他の実施形態では、前記切替手段は、前記ＲＦアナログ信号の最初の二値化の場合に前記他のスライスレベルを出力し、前記ＲＦアナログ信号の再度の二値化の場合に前記スライスレベルを出力する。
【発明の効果】
【００１５】
本発明によれば、ＲＦアナログ信号に大きな直流成分が含まれていて、ＲＦアナログ信号のピークレベルとボトムレベルの平均値では二値化できない場合においても、二値化のためのスライスレベルを適応的に設定することで正確に二値化できる。
【図面の簡単な説明】
【００１６】
【図１】実施形態における二値化回路の回路構成図である。
【図２】第２スライサの回路構成図である。
【図３】第２スライサの動作タイミングチャートである。
【図４】リトライ時におけるスライスレベルの切替を示す説明図である。
【図５】第１スライサの回路構成図である。
【発明を実施するための形態】
【００１７】
以下、図面に基づき本発明の実施形態について説明する。
【００１８】
図１に、本実施形態における二値化回路の回路構成を示す。ＤＶＤやＢｌｕ−ｒａｙ等の光ディスクから読み取ったＲＦアナログ信号を二値化してデコーダに出力するための回路である。なお、光ディスクからＲＦアナログ信号を読み取るための光ピックアップ回路は公知であるのでその説明は省略する。また、記録データは、ＩＤ等付加、エラー検出コード付加、スクランブル、エラー訂正コード付加、インターリーブ、Ｓｙｎｃコード付加等を経て、８／１６変調（ＤＶＤ）あるいは１−７ＰＰ変調（Ｂｌｕ−ｒａｙ）されて光ディスクに記録されるものとする。
【００１９】
本実施形態の二値化回路は、スライサとコンパレータ１６を備え、スライサから供給されたスライスレベルを用いてコンパレータ１６でＲＦアナログ信号を二値化する。スライサは、第１スライサ１０と第２スライサ１２から構成され、切替スイッチ１４で第１スライサ１０あるいは第２スライサ１２のいずれかの出力を選択的に切り替えてコンパレータ１６に出力する。なお、一般的に「スライサ」とは、入力電圧と基準電圧とを比較し、基準電圧以下を切り落として出力する回路を意味するが、本実施形態におけるスライサは、このようなスライス機能を実現するために必要な基準電圧、すなわちスライスレベルを生成する回路の意味で用いるものとする。
【００２０】
第１スライサ１０は、ＲＦアナログ信号から、このＲＦアナログ信号を二値化するためのスライスレベル（これを第１スライスレベルとする）を生成して出力する回路であり、生成した第１スライスレベルを切替スイッチ１４に出力する。第１スライサ１０は、図５に示す従来と同様の構成、すなわちピーク検波回路と、ボトム検波回路と、ピーク検波回路の出力とボトム検波回路の出力を平均化する平均化回路を備え、ＲＦアナログ信号のピークレベルとボトムレベルの平均値を常に検出し、これを第１スライスレベルとして出力する。
【００２１】
第２スライサ１２は、ＲＦアナログ信号から第１スライスレベルと異なるスライスレベル（これを第２スライスレベルとする）を生成して出力する回路であり、生成した第２スライスレベルを切替スイッチ１４に出力する。第２スライサ１２は、ＲＦアナログ信号に含まれる信号列の連続パターンにおいてのみそのピークレベルとボトムレベルの平均値を検出し、第２スライスレベルとして出力する。
【００２２】
切替スイッチ１４は、第１スライサ１０からの第１スライスレベルと、第２スライサ１２からの第２スライスレベルとを選択的に切り替えてコンパレータ１６に出力する。切替スイッチ１４には、プロセッサから構成される光ディスク装置のシステムコントローラで生成されるスライサ選択信号が供給される。切替スイッチ１４は、システムコントローラから供給されたスライサ選択信号により、第１スライスレベルあるいは第２スライスレベルのいずれかを選択的に切り替えてコンパレータ１６に出力する。
【００２３】
光ディスク装置のシステムコントローラは、ＲＦアナログ信号を二値化して得られた信号のＤＳＶ値を監視し、ＤＳＶ値の絶対値が所定の範囲内であるか否かに応じてスライサ選択信号を生成し、切替スイッチ１４に出力する。ＤＳＶ値とは、上記したように、２つの状態をとるビット列の一方の状態（例えば１）を＋１、他方の状態（例えば０）を−１としてビット列の先頭から累積した値である。システムコントローラは、ＤＳＶ値の絶対値が所定の範囲内であれば第１スライスレベルを選択する信号を出力し、ＤＳＶ値の絶対値が所定の範囲外であれば第２スライスレベルを選択する信号を出力する。例えば、ＤＳＶ値が、
−５０＜ＤＳＶ値＜５０
であれば第１スライスレベルを選択する信号を出力し、これ以外であれば第２スライスレベルを選択する信号を出力する。もちろん、システムコントローラは、ＤＳＶ値が所定の範囲外である場合のみその旨の信号をスライサ選択信号として出力し、切替スイッチ１４は、システムコントローラからの信号がない状態では常に第１スライスレベルを選択して出力し、システムコントローラから範囲外であることを示す信号が供給された場合に第２スライスレベルを選択して出力してもよい。
【００２４】
なお、上記したＤＳＶ値の範囲は、第１スライサ１０の時定数により決められるため、設計により任意に設定することが可能である。本実施形態で示している範囲は、第１スライサ１０の時定数（エラーの発生しない範囲でスライスできる時定数）を３．５μＳと想定し、信号列の最悪パターンとして、
３Ｔ、１１Ｔ、３Ｔ、１１Ｔ、３Ｔ、１１Ｔ、３Ｔ、１１Ｔ、・・・
の繰り返しパターンを想定した場合の設定範囲を示している。さらに詳述すると、３Ｔ−１１ＴでＤＳＶ値は＋８であるため、３Ｔ長が０．１２μＳ、１１Ｔ長が０．４４μＳとすると、上記パターンにおいては３．５μＳでＤＳＶ値が＋５０に到達することになる。つまり、ＤＳＶ値＋５０で第１スライサ１０の時定数に到達し、これ以上はエラーが発生することになるため、この時点で第２スライスレベルに切り替えればよいということになる。
【００２５】
また、システムコントローラは、スライサ選択信号とは別に、ＲＦアナログ信号を二値化して得られた信号からスイッチ信号を生成して第２スライサ１２に供給する。このスイッチ信号は、第２スライサ１２に含まれる後述の各スイッチを切り替えるための信号である。スイッチ信号は、第２スライサ１２を間欠的に動作させるための制御信号として機能する。
【００２６】
コンパレータ１６は、ＲＦアナログ信号と切替スイッチ１４から出力された第１スライスレベルあるいは第２スライスレベルを大小比較し、ＲＦアナログ信号を二値化してデコーダに出力する。コンパレータ１６の非反転入力端子（＋）にはＲＦアナログ信号が供給され、反転入力端子（−）には第１スライスレベルあるいは第２スライスレベルが供給される。コンパレータ１６は、ＲＦアナログ信号と第１スライスレベルを大小比較し、あるいはＲＦアナログ信号と第２スライスレベルを大小比較し、大小比較結果に応じてＲＦアナログ信号を論理レベル「１」あるいは「０」のいずれかに二値化して出力する。コンパレータ１６で二値化された信号はデコーダに出力されるとともにシステムコントローラにも供給される。システムコントローラは、この二値化信号からスイッチ信号及びスライサ選択信号を生成して切替スイッチ１４あるいは第２スライサ１２の動作を制御する。
【００２７】
図２に、第２スライサ１２の回路構成を示す。第２スライサ１２は、ピーク検波回路１２ａと、ボトム検波回路１２ｂとを備える。
【００２８】
ピーク検波回路１２ａは、コンパレータＣｏｍｐ１と、コンパレータＣｏｍｐ１の出力に順方向接続されたダイオードＤ１と、ダイオードＤ１に直列接続されたスイッチＳＷ２、抵抗Ｒ１、コンパレータＣｏｍｐ２と、ダイオードＤ１とスイッチＳＷ２の接続節点と接地電位ＧＮＤとの間に接続されたコンデンサＣ１と、コンデンサＣ１に並列接続されたスイッチＳＷ１と、抵抗Ｒ１とコンパレータＣｏｍｐ２の接続節点と接地電位ＧＮＤとの間に接続されたコンデンサＣ２から構成される。
【００２９】
スイッチＳＷ１及びスイッチＳＷ２には、システムコントローラからのスイッチ信号が供給される。スイッチＳＷ１及びスイッチＳＷ２は、スイッチ信号に応じてオンオフ制御される。具体的には、スイッチＳＷ１は、二値化信号において信号列の連続するパターンが出現した場合に、その連続したパターンの開始時においてのみオンし、それ以外はオフ制御される。また、スイッチＳＷ２は、二値化信号において信号列の連続するパターンが出現した場合に、その連続したパターンが存在する期間においてオンし、それ以外はオフ制御される。連続したパターンとは、同一Ｔ（但し、Ｔは基準長）信号が連続して存在する場合であり、３Ｔ信号が連続する場合、あるいは４Ｔ信号が連続する場合等である。例えば信号列が、
３Ｔ、４Ｔ、６Ｔ、５Ｔ、３Ｔ、３Ｔ、５Ｔ、４Ｔ、４Ｔ、４Ｔ、６Ｔ、・・・
である場合、２つの３Ｔが連続した部分の開始タイミングにおいてスイッチＳＷ１がオンし、３Ｔが連続した期間においてスイッチＳＷ２がオンする。また、３つの４Ｔが連続した部分の開始タイミングにおいてスイッチＳＷ１がオンし、４Ｔが連続した期間においてスイッチＳＷ２がオンする。
【００３０】
また、信号列が、
３Ｔ、３Ｔ、４Ｔ、４Ｔ、５Ｔ、６Ｔ、・・・
である場合、３Ｔ、３Ｔ、４Ｔ、４Ｔの部分が連続したパターンの部分であり、この期間においてスイッチＳＷ２がオンする。
【００３１】
さらに、信号列が、
３Ｔ、３Ｔ、５Ｔ、５Ｔ、４Ｔ、４Ｔ、３Ｔ、・・・
である場合、  ３Ｔ、３Ｔ、５Ｔ、５Ｔ、４Ｔ、４Ｔの部分が連続したパターンの部分であり、この期間においてスイッチＳＷ２がオンする。
【００３２】
ピーク検波回路１２ａのコンデンサＣ１には、ＲＦアナログ信号のピークレベルがホールドされる。スイッチＳＷ１はコンデンサＣ１に並列に接続されており、スイッチＳＷ１がオンするとコンデンサＣ１に充電された電荷は放電されるため、ピークレベルはリセットされる。スイッチＳＷ１は、連続したパターンの開始タイミングにおいてオンするので、連続したパターンの開始タイミングにおいてコンデンサＣ１の蓄積電荷はリセットされ、これ以後のピークレベルが新たにコンデンサＣ１にホールドされる。
【００３３】
また、スイッチＳＷ２はコンパレータＣｏｍｐ１とコンパレータＣｏｍｐ２との間に接続されており、連続したパターンの期間においてオンするので、連続したパターンの期間においてコンデンサＣ１にホールドされたピークレベルがコンパレータＣｏｍｐ２に供給される。スイッチＳＷ２とコンパレータＣｏｍｐ２との間には、抵抗Ｒ１とコンデンサＣ２からなる積分回路あるいはフィルタが接続されており、時定数Ｃ２Ｒ１でピークレベルが変動してコンパレータＣｏｍｐ２に供給される。時定数Ｃ２Ｒ１は、光ディスクの欠陥等に反応しない程度に設定するのが望ましく、これにより光ディスクの欠陥等の影響を排除した正確なピークレベルが検出できる。
【００３４】
また、ボトム検波回路１２ｂは、コンパレータＣｏｍｐ３と、コンパレータＣｏｍｐ３の出力側に逆方向接続されたダイオードＤ２と、ダイオードＤ２に直列接続されたスイッチＳＷ４、抵抗Ｒ２、コンパレータＣｏｍｐ４と、ダイオードＤ２とスイッチＳＷ４の接続節点と接地電位ＧＮＤとの間に接続されたコンデンサＣ３と、コンデンサＣ３に並列接続されたスイッチＳＷ３と、抵抗Ｒ２とコンパレータＣｏｍｐ４の接続節点と接地電位ＧＮＤとの間に接続されたコンデンサＣ４から構成される。
【００３５】
スイッチＳＷ３及びスイッチＳＷ４には、システムコントローラからのスイッチ信号が供給される。スイッチＳＷ３及びスイッチＳＷ４は、スイッチ信号に応じてオンオフ制御される。具体的には、スイッチＳＷ３は、二値化信号において連続するパターンが出現した場合に、その連続したパターンの開始時においてのみオンし、それ以外はオフ制御される。また、スイッチＳＷ４は、二値化信号において連続するパターンが出現した場合に、その連続したパターンが存在する期間においてオンし、それ以外はオフ制御される。
【００３６】
ボトム検波回路１２ｂのコンデンサＣ３には、ＲＦアナログ信号のボトムレベルがホールドされる。スイッチＳＷ３はコンデンサＣ３に並列に接続されており、スイッチＳＷ３がオンするとコンデンサＣ３に充電された電荷は放電されるため、ボトムレベルはリセットされる。スイッチＳＷ３は、連続したパターンの開始タイミングにおいてオンするので、連続したパターンの開始タイミングにおいてコンデンサＣ３の蓄積電荷はリセットされ、これ以後のボトムレベルが新たにコンデンサＣ３にホールドされる。
【００３７】
また、スイッチＳＷ４はコンパレータＣｏｍｐ３とコンパレータＣｏｍｐ４との間に接続されており、連続したパターンの期間においてオンするので、連続したパターンの期間においてコンデンサＣ３にホールドされたボトムレベルがコンパレータＣｏｍｐ４に供給される。スイッチＳＷ４とコンパレータＣｏｍｐ４との間には、抵抗Ｒ２とコンデンサＣ４からなる積分回路あるいはフィルタが接続されており、時定数Ｃ４Ｒ２でボトムレベルが変動してコンパレータＣｏｍｐ４に供給される。時定数Ｃ４Ｒ２は、光ディスクの欠陥等に反応しない程度に設定するのが望ましく、これにより光ディスクの欠陥等の影響を排除した正確なボトムレベルが検出できる。
【００３８】
ピーク検波回路１２ａの出力端及びボトム検波回路１２ｂの出力端は、分圧抵抗Ｒ５及び分圧抵抗Ｒ６を介して接続され、分圧抵抗Ｒ５と分圧抵抗Ｒ６の接続節点は出力端子に接続され、この出力端子から第２スライスレベルが出力される。分圧抵抗Ｒ５，Ｒ６は同一抵抗値であり、ピークレベルとボトムレベルの平均値が第２スライスレベルとして出力される。
【００３９】
図３に、第２スライサ１２の動作タイミングチャートを示す。図３（ａ）はＲＦアナログ信号１００の波形であり、図３（ｂ）はスイッチＳＷ１のタイミングチャートであり、図３（ｃ）はスイッチＳＷ２のタイミングチャートである。ＲＦアナログ信号１００は、３Ｔ、３Ｔ、３Ｔと３Ｔの連続したパターンが続き、その後にランダムなパターンが続いた後、４Ｔ、４Ｔと４Ｔの連続したパターンが続くものとする。この場合、３Ｔの連続したパターンの開始タイミングｔ１においてシステムコントローラからのスイッチ信号に基づいてスイッチＳＷ１が瞬間的にオンし、所定時間経過後に直ぐにオフに戻る。また、３Ｔが連続したパターンの期間ｔ１〜ｔ２においてシステムコントローラからのスイッチ信号に基づいてスイッチＳＷ２がオンし続ける。スイッチＳＷ１がオンしたタイミングでコンデンサＣ１が放電し、このタイミングからＲＦアナログ信号１００のピークレベル２００がホールドされる。
【００４０】
また、スイッチＳＷ３はスイッチＳＷ１と同じタイミングでオン／オフし、スイッチＳＷ４はスイッチＳＷ２と同じタイミングでオン／オフする。スイッチＳＷ３がオンしたタイミグでコンデンサＣ３が放電し、このタイミングからＲＦアナログ信号１００のボトムレベル３００がホールドされる。４Ｔが連続したパターンの部分ｔ３〜ｔ４についても同様である。
【００４１】
連続したパターンが継続する限り、スイッチＳＷ２及びスイッチＳＷ４はオンし続けるので、ピークレベル２００及びボトムレベル３００がそれぞれコンパレータＣｏｍｐ２、Ｃｏｍｐ４から出力され、ピークレベルとボトムレベルの平均値が分圧抵抗Ｒ５，Ｒ６で生成され、第２スライスレベルとして出力端子から出力される。
【００４２】
連続したパターンが途切れると、スイッチＳＷ２及びスイッチＳＷ４はオフとなるので、第２スライスレベルは出力されない。
【００４３】
以上のように、第２スライサ１２からは、ＲＦ信号の連続したパターンが存在する場合にそのピークレベルとボトムレベルの平均値が第２スライスレベルとして出力される。一方、第１スライサ１０からは、連続したパターンが存在するか否かによらず、ＲＦアナログ信号のピークレベルとボトムレベルの平均値が第１スライスレベルとして出力される。そして、図１に示すように、切替スイッチ１４はスライサ選択信号に基づき、ＲＦアナログ信号のＤＳＶ値が所定範囲内のときに第１スライスレベルを選択的にコンパレータ１６に出力し、ＤＳＶ値が所定範囲外のときに第２スライスレベルを選択的にコンパレータ１６に出力するから、ＤＳＶ値が所定範囲内のときに第１スライスレベルでＲＦアナログ信号が二値化され、ＤＳＶ値が所定範囲外のときに第２スライスレベルでＲＦアナログ信号が二値化される。
【００４４】
ＲＦアナログ信号のＤＳＶ値が所定範囲内であるときには、ＲＦアナログ信号の直流成分は相対的に小さいため、ＲＦアナログ信号全体のピークレベルとボトムレベルの平均値をスライスレベルとして用いて二値化しても問題ない。一方、ＲＦアナログ信号のＤＳＶ値が所定範囲外であるときには、ＲＦアナログ信号の直流成分は相対的に大きいため、このようにＲＦアナログ信号全体のピークレベルとボトムレベルの平均値をスライスレベルとして用いたのでは信号を正しく検出することはできないが、本実施形態ではＤＳＶ値が所定範囲外のときには第１スライスレベルではなく、連続したパターンにおけるピークレベルとボトムレベルの平均値である第２スライスレベルで二値化するため、正しいスライスレベルで二値化することができる。すなわち、連続したパターンの部分では、直流成分は存在しないので（隣接する信号列は互いに極性が反対であり、信号長が等しければ互いに相殺されて直流成分はゼロとなる）、連像したパターンの部分においてピークレベルとボトムレベルの平均値を取得することで、二値化のための正確なスライスレベルを得ることができる。言い換えれば、本実施形態では、ＲＦアナログ信号に含まれる直流成分が大きくなった場合に、これに応じて二値化のためのスライスレベルを適応的に設定することで正確な二値化を行うものである。
【００４５】
なお、第２スライサ１２におけるスイッチＳＷ１、ＳＷ２、ＳＷ３、ＳＷ４のオンオフを制御するためのスイッチ信号は、システムコントローラで生成するものであり、システムコントローラで連続したパターンを検出するために一定の時間を要することから、この時間分だけＲＦアナログ信号を遅延させる遅延回路を第２スライサ１２の前段に設けることが望ましい。
【００４６】
また、本実施形態では、システムコントローラでＤＳＶ値が所定の範囲内にあるか否かによりスライサ選択信号を生成して切替スイッチ１４を制御しているが、第１スライスレベルを用いてＲＦアナログ信号を二値化して再生できなかった場合のリトライ時に、第２スライスレベルに切り替えてリトライすることもできる。
【００４７】
図４に、この場合のスライスレベルの切り替えを模式的に示す。１回目の再生において、第１スライスレベル、すなわちＲＦアナログ信号全体のピークレベルとボトムレベルの平均値を用いて再生する。光ディスクのアドレスｎ〜ｎ＋５までは再生ＯＫであり、アドレスｎ＋６〜ｎ＋８で再生エラーとなり、アドレスｎ＋９〜ｎ＋１３で再生ＯＫであるとする。
【００４８】
この場合、光ディスクの再生を行うリトライに移行するが、正常に再生できたアドレスｎ〜ｎ＋５、及びアドレスｎ＋９〜ｎ＋１３では１回目の再生時と同様に第１スライスレベルを用いて再生するが、１回目で再生エラーとなったアドレスｎ＋６〜ｎ＋８を再生する場合には、第２スライスレベルに切り替えて再生する。すなわち、システムコントローラは、１回目の再生時に再生エラーとなったアドレスをメモリに記憶しておき、リトライ時にメモリに記憶したアドレスではスライサ選択信号を切替スイッチ１４に供給して第１スライスレベル（図では「第１」と略記する）から第２スライスレベル（図では「第２」と略記する）に切り替えて二値化する。これにより、リトライ時の再生成功率を向上させることができる。
【００４９】
本実施形態の二値化回路は、光ディスク装置に適用することができ、ＰＲＭＬ方式を用いた再生にも適用することができる。ＰＲＭＬ方式は公知であるが、簡単に説明すると連続するＮ時刻の再生信号と目標信号とを比較しながら、最も確からしいビット列に２値化するものである。ＰＲＭＬ方式では、ＲＦアナログ信号をＡ／Ｄコンバータで二値化し、イコライザを介してビタビ復号器に供給するが、システムコントローラはビタビ復号器で復号された二値化信号から連続したパターンを検出してスイッチ信号やスライサ選択信号を生成し、第２スライサ１２や切替スイッチ１４に供給する。切替スイッチ１４からの第１スライスレベルあるいは第２スライスレベルはＡ／Ｄコンバータに供給され、Ａ／Ｄコンバータでのスライスレベルが調整される。
【００５０】
また、本実施形態の第２スライサ１２のピーク検波回路１２ａ及びボトム検波回路１２ｂにはそれぞれ時定数Ｃ２Ｒ１、Ｃ４Ｒ２のフィルタが設けられ、これらの時定数により光ディスクの欠陥がスライスレベルの検出に影響しないようにしているが、これらの時定数を再生速度に応じて適応的に設定してもよい。なお、これらの時定数は、あるタイミングにおける連続したパターンのみならず、それ以前の連続したパターンのピークレベル及びボトムレベルをも考慮したスライスレベルの設定も可能としている。
【００５１】
なお、本実施形態では、ＤＳＶ値に基づいて第１スライスレベルと第２スライスレベルを選択して出力しているが、第１スライサ１０からの第１スライスレベルが所定の範囲を逸脱した場合に、ＤＣ偏りが大きいと判断し、第２スライサ１２からの第２スライスレベルに切り替えるようにしてもよい。例えば、基準となるディスクを再生しながらスライスレベルを変動させてジッタの変化を調べ、例えばジッタが１０％（設計的に決められる基準であり、絶対的な数値ではない）を超えるスライス範囲を予め求めておき、求めたスライス範囲を逸脱する場合に、第２スライスレベルに切り替えるようにしてもよい。
【符号の説明】
【００５２】
１０  第１スライサ、１２  第２スライサ、１４  切替スイッチ、１６  コンパレータ。
【図１】
2012199876.tif 000003
【図２】
2012199876.tif 000004
【図３】
2012199876.tif 000005
【図４】
2012199876.tif 000006
【図５】
2012199876.tif 000007